(57)【要約】【課題】柑橘類が収納されたコンテナを被覆する際の取り付けが容易であると共に、柑橘類を状態良く長期間保存することができる柑橘類の保存用カバーを提供する。【解決手段】柑橘類が収納された容器を被覆する、天井面３と四方側面とからなり底面が開口した直方体状の柑橘類の保存用カバー１であって、保存用カバー１は、通気度が１００秒／１００ｃｃ〜５０００秒／１００ｃｃの通気性シート材からなり、四方側面のうちの一側面は、両側縁に設けられたファスナーＦを介して隣接する側面と接合されている。【選択図】図１
0003129141.tif 000002
【実用新案登録請求の範囲】
【請求項１】
柑橘類が収納された容器を被覆する、天井面と四方側面とからなり底面が開口した直方体状の柑橘類の保存用カバーであって、
該保存用カバーは、通気度が１００秒／１００ｃｃ〜５０００秒／１００ｃｃである通気性シート材からなり、四方側面のうちの一側面は、両側縁に設けられた開閉部材を介して隣接する側面と接合されていることを特徴とする柑橘類の保存用カバー。
【請求項２】
前記通気性シート材は、微多孔性フィルムの少なくとも一方の表面に通気性補強層が積層されてなる複合シートであることを特徴とする請求項１記載の柑橘類の保存用カバー。
【考案の詳細な説明】
【技術分野】
【０００１】
本考案は、柑橘類が収納された容器を被覆する柑橘類の保存用カバーに関するものである。
【背景技術】
【０００２】
温州みかんなどの柑橘類は、収穫して１〜３ヶ月後に出荷することがある。しかし、収穫した柑橘類をコンテナの中に入れた状態で放置しておくと、乾燥してしまい、状態が良いまま出荷することが困難である。このため、従来においては、収穫して容器（コンテナ）に収納した柑橘類を、専用倉庫の棚に移して貯蔵する方法が採られていた。この場合、乾燥を防ぎ、柑橘類を長期間保存することは可能であるが、貯蔵する際にコンテナから柑橘類を貯蔵棚に移し出し、出荷の際に再びコンテナの中に柑橘類を収納しなければならず、手間がかかる作業となる。
【０００３】
一方、コンテナから柑橘類を出し入れする作業をなくすために、多段に積み上げられたコンテナの上から、ポリエチレン等のシートを被せて柑橘類の乾燥を防止することが提案されている。しかし、この方法では、柑橘類から発生する水分によって結露が生じ、この結露が柑橘類にしたたって傷んでしまったり、柑橘類から発生する成熟ガスがシート内に充満して果実障害が起こるといった問題がある。
他方、特許文献１には、複数の野菜コンテナを集積したコンテナ群の上面から側面上部を覆う遮光性および防水性を有する上側シート部と、コンテナ群の側面下部側を覆う透気性および遮光性を有する下側シート部とから構成された野菜コンテナ用シートを、ゴムバンドなどの係止具を用いてコンテナ群に被覆することが提案されている。しかし、ゴムバンドなどの係止具を用いてシートをコンテナ群に被覆する作業は手間がかかり、取付けが簡単にできるものではなかった。
【０００４】
【特許文献１】登録実用新案第３０４７３１３号公報
【考案の開示】
【考案が解決しようとする課題】
【０００５】
そこで、本考案は、柑橘類が収納された容器を被覆する際の取り付けが容易であると共に、柑橘類を状態良く長期間保存することができる柑橘類の保存用カバーを提供することを目的とする。
【課題を解決するための手段】
【０００６】
即ち、本考案は、
（１）柑橘類が収納された容器を被覆する、天井面と四方側面とからなり底面が開口した直方体状の柑橘類の保存用カバーであって、該保存用カバーは、通気度が１００秒／１００ｃｃ〜５０００秒／１００ｃｃである通気性シート材からなり、四方側面のうちの一側面は、両側縁に設けられた開閉部材を介して隣接する側面と接合されていることを特徴とする柑橘類の保存用カバー。
（２）前記通気性シート材は、微多孔性フィルムの少なくとも一方の表面に通気性補強層が積層されてなる複合シートであることを特徴とする（１）記載の柑橘類の保存用カバーを要旨とするものである。
【考案の効果】
【０００７】
本考案に係る柑橘類の保存用カバーは、底面が開口した直方体状に形成され、一側面が開閉部材を介して隣接する側面と接合されていることで前記一側面が開口可能になっており、柑橘類が収納された容器に簡単に取り付けることができ、また、貯蔵時においては、一側面を部分的に開口させることで、保存用カバー内の温度や湿度の微調整をすることも可能である。そして、保存用カバーに特定の性能を有するシートを用いていることで、保存用カバー内を柑橘類の保存に適した環境にすることができ、柑橘類を状態良く長期間保存することができる。
【考案を実施するための最良の形態】
【０００８】
以下、添付図面を参照しつつ本考案を実施するための最適の形態を説明する。図１は、本考案の一実施形態に係る柑橘類の保存用カバー１を、多段に積み上げられたコンテナに被覆した状態を示す概念斜視図である。
【０００９】
図１に示すように、本考案の柑橘類の保存用カバー１は、天井面３と四方側面（４−１、４−２、４−３、４−４）とからなり底面が開口した直方体状に成形され、四方側面のうちの一側面（４−１）は、両側縁５に設けられた開閉部材を介して隣接する側面と接合されているものである。
【００１０】
一例を示すと、パレットＰの上に、コンテナＣ（縦５８１ｍｍ×横３３０ｍｍ×高さ３００ｍｍ）を、縦２列、横３列、高さ５段に積み上げたものを被覆する場合、保存用カバー１は、縦、横共に１２００ｍｍで、高さが１６５０ｍｍの直方体状に成形されている。
そして、この保存用カバー１の一側面（４−１）の両側縁５には開閉部材としてファスナーＦを設けて、一側面（４−１）が開口するようにしている。このため、積み上げられたコンテナに保存用カバー１を取り付ける際には、保存用カバー１の両方のファスナーＦを開いて一側面（４−１）を開口させ、コンテナを被覆して両方のファスナーＦを閉じることで簡単にコンテナに取り付けることができる。
また、保存用カバー１に設けられたファスナーＦは、貯蔵時において、一側面（４−１）を部分的に開口した状態にしておくこともできるので、保存用カバー１内部の温度や湿度の微調整をすることが可能である。
【００１１】
なお、図１に示す保存用カバー１においては、開閉部材としてファスナーＦを用いているが、これに限定されるものではなく、例えば、面ファスナーやチャック、ジッパー等であっても良い。また、柑橘類を収納する容器もコンテナに限定されるものではなく、柑橘類を収納しておくことができる容器であれば良い。そして、保存用カバー１の寸法も、容器の大きさに合わせて適宜設定することで良い。
【００１２】
本考案に係る保存用カバー１には通気性シート材を使用している。通気性シート材としては、気体、水蒸気等は通すが、水は通さない程度の小孔を多数有する微多孔構造を有する微多孔性フィルムを用いることが好ましい。
微多孔性フィルムは、無機充填剤、有機充填剤などを含有するフィルムより該充填剤を溶剤で溶出して製造する方法や、無機充填剤、有機充填剤を含有する重合体からなるシートを少なくとも１軸方向に延伸して微多孔構造を形成させる方法などで得ることができる。
微多孔性フィルムに用いられる合成樹脂としては、ポリエチレン系樹脂やポリプロピレン系樹脂などのポリオレフィン系樹脂が好ましい。特に、低密度ポリエチレンや直鎖状低密度ポリエチレン、エチレン−酢酸ビニル共重合体などのポリエチレン系樹脂が好ましい。さらに、密度が０．８５０ｇ／ｃｍ２〜０．９４０ｇ／ｃｍ２の直鎖状低密度ポリエチレンがより好適に利用される。これらのポリエチレン系樹脂は、後述する通気性補強層との積層が容易に行えるので好ましい。
【００１３】
また、合成樹脂に混入する充填剤としては、炭酸カルシウムや炭酸マグネシウムなどの炭酸塩、水酸化マグネシウムや水酸化アルミニウムなどの水酸化物、酸化カルシウムや酸化亜鉛などの酸化物、ゼオライトや硫酸バリウム、タルク、珪藻土などの無機充填剤が好ましい。特に、分散性や加工性、延伸後に形成される空隙の大きさなどから、平均粒径が０．５μｍ〜１０μｍ、好ましくは１．０μｍ〜５．０μｍである炭酸カルシウムが好適に利用される。また、充填剤の混入割合は２０重量％〜７０重量％であることが好ましい。充填剤の割合が２０重量％未満だと、延伸した際に多数の空隙を形成することが困難で通気性を付与することができない。また、７０重量％を超えると機械強度が低下するので好ましくない。
充填剤を含有する重合体からなるシートを少なくとも１軸方向に延伸して微多孔構造を形成させて微多孔性フィルムを得る場合、延伸を行う方法としては特に限定されるものではないが、ロール延伸、特に多段ロール延伸法が好適に利用される。延伸倍率としては、１．０５倍〜５．００倍に一軸延伸される。また、延伸後の微多孔性フィルムの厚みは１０μｍ〜２００μｍが好ましく、２５μｍ〜１００μｍであることがより好ましい。厚みが１０μｍ未満であれば機械強度が低く微多孔性フィルムが破損するおそれがあるので好ましくない。また、２００μｍを超えると、機械強度は優れるものの、通気性が低下するので好ましくない。
【００１４】
また、通気性シート材としては、微多孔性フィルムの少なくとも一方の表面に通気性補強層が積層されてなる複合シートであることが、保存用カバー１の取り扱い時に破れたりしないように補強されている点で好ましく、特に、微多孔性フィルムの両方の表面に通気性補強層が積層されてなる複合シートであることが好ましい。
通気性補強層としては、長繊維不織布や、割繊維不織布並びにネット状物などの格子網状体であることが好ましい。微多孔性フィルムと通気性補強層を積層する方法は、微多孔性フィルムの通気性を阻害しない限り特に限定されない。微多孔性フィルムと通気性補強層とをポイント状に塗布した接着剤を介して積層しても良いし、微多孔性フィルムと通気性補強層を重ね合わせて熱圧着することによって積層しても良い。また、合成樹脂と充填剤をシート化する際に、合成樹脂が溶融状態にあるうちに通気性補強層と圧着、積層し、次いで、少なくとも一軸方向に延伸することによって通気性を付与してもかまわない。
【００１５】
そして、本考案に係る保存用カバー１に使用される通気性シート材としては、柑橘類から発生する水分により保存用カバー１内に結露が生じないように水蒸気を放出しつつ、保存用カバー１内の乾燥を防止することができるシート材を用いる必要があり、該シート材としては、水蒸気や空気などの気体の透気抵抗度を示す通気度が１００秒／１００ｃｃ〜５０００秒／１００ｃｃ、特に２００秒／１００ｃｃ〜５００秒／１００ｃｃであるものを用いると良い。通気性シート材の通気度が５０００秒／１００ｃｃを超える場合には、水蒸気の透過速度が遅いため、カバー１内に水蒸気が残り湿度が高くなりすぎてしまい、反対に１００秒／１００ｃｃ未満の場合には、水蒸気の透過が速すぎて一定の湿度が保てず、保存用カバー１内が乾燥しすぎてしまうことから好ましくない。
【実施例】
【００１６】
以下、本考案を実施例、比較例及び参考例によって詳細に説明する。なお、カバーに用いるシート材の通気度の測定方法、柑橘類の貯蔵条件、貯蔵した柑橘類の評価方法は以下の通りである。
［通気度］
シート材の通気度を、ＪＩＳ  Ｐ  ８１１７（ガーレー試験機法）に準拠して測定した。
［貯蔵条件］
貯蔵に用いた柑橘類：２００４年１２月１５日に収穫し、１２日間予措（果皮を乾燥させることを目的とする貯蔵）を行った温州みかん（「青島温州」）。
貯蔵期間：２００４年１２月２８日から２００５年２月２２日までの５６日間。
［評価方法］
（１）結露の有無：貯蔵期間中に保存用カバーの内面に結露が生じているかどうかを目視により評価し、結露が無い場合に「○」、結露が有る場合に「×」として評価した。
（２）減量歩合：積み上げられた下から１、３、５段目のコンテナから温州みかんを取り出し、貯蔵前後の重さを測定し、３つの温州みかんの平均を減量歩合として評価した。
（３）腐敗率：貯蔵期間後に、コンテナに収納されていた温州みかん全体のうちで、腐敗した割合を腐敗率（％）として評価した。
（４）正果率：貯蔵期間後に、コンテナに収納されていた温州みかん全体のうちで、腐敗や果実障害、その他の原因で出荷できないものを除き、出荷できる温州みかんの割合を正果率（％）として評価した。
【００１７】
＜実施例１＞
直鎖状低密度ポリエチレン（密度：０．９１５ｇ／ｃｍ３、ＭＩ：１．５）４５重量％と平均粒径２．０μｍの炭酸カルシウム５５重量％からなる樹脂組成物を、Ｔダイを備えた押出機を用いて厚さ９０μｍのシート状物を得た。これを７０℃〜８０℃に設定した多段式ロール延伸機により縦一軸方向に３．０倍に延伸して厚さ４５μｍの微多孔性フィルムを得た。こうして得られた微多孔性フィルムの両面に通気性補強層として、スパンボンド不織布であるユニチカ社製のエルベス（商品名）を１３０℃に加熱したロールで熱圧着して、微多孔性フィルムと通気性補強層が積層された通気性シート材を得た。得られた通気性シート材の通気度を表１に示す。
得られた通気性シート材を、図１に示す天井面と四方側面とからなり底面が開口した直方体状に成形し、更に一側面の両側縁にファスナーを設けて保存用カバー（縦、横共に１２００ｍｍ、高さ１６５０ｍｍ）を得た。
得られた保存用カバーを、縦７ｍ×横１０ｍ×高さ３ｍの鉄骨スレート葺きの倉庫内に置かれた、温州みかんが収納されたコンテナ（縦５８１ｍｍ×横３３０ｍｍ×高さ３００ｍｍ）を縦２列、横３列、高さ５段に並べたコンテナ群（以下、「１ブロックコンテナ群」と称する）に被せて、上記条件で温州みかんを貯蔵し、上記評価方法により評価した。結果を表１に示す。
【００１８】
＜比較例１＞
実施例１に用いた通気性シート材にかえて、表１に示す通気度のタイベック（登録商標）（米国デュポン社製の透湿・防水シート）を用いた以外は、実施例１と同様である保存用カバーを得た。該保存用カバーを、鉄骨スレート葺きの倉庫内に置かれた、温州みかんが収納された１ブロックコンテナ群に被せて、上記条件で温州みかんを貯蔵し、上記評価方法により評価した。結果を表１に示す。
＜比較例２＞
実施例１に用いた通気性シート材にかえて、厚さ２００μｍのポリエチレンからなるシート材を用いた以外は、実施例１と同様である保存用カバーを得た。該保存用カバーを、鉄骨スレート葺きの倉庫内に置かれた１ブロックコンテナ群に被せて、上記条件で温州みかんの貯蔵を行ったが、貯蔵期間中に、保存用カバーの内側に結露が生じたため、貯蔵後の温州みかんの評価は行わなかった。
＜参考例１＞
温州みかんが収納された１ブロックコンテナ群を、何も被覆せずに、縦7m×横10m×高さ3mの鉄骨スレート葺きの倉庫内に置き、上記条件で温州みかんを貯蔵し、上記評価方法により評価した。結果を表１に示す。
＜参考例２＞
土壁の貯蔵庫（縦３．４ｍ×横３．５ｍ×高さ３．２ｍ）内で、土壁に沿わせて取り付けられた戸付き棚（一段の貯蔵空間：縦１００ｃｍ×横１６４ｃｍ×高さ２５ｃｍ、下から５段目（高さ１４５ｃｍ）までを使用）に温州みかんを収納し、上記条件で貯蔵し、上記評価方法により評価した。結果を表１に示す。
【００１９】
【表１】
0003129141.tif 000003
【００２０】
表１から明らかなように、実施例１の保存用カバーを用いて貯蔵した場合には、カバー内に結露が生じることなく温州みかんの減量歩合が１０％未満と低く抑えられ、正果率も７０％以上と高く、良好な貯蔵がされていた。一方、１ブロックコンテナ群に温州みかんを収納し、何も被覆せずに貯蔵した参考例１の場合には、減量歩合が高く、また正果率も低かった。また、専用の貯蔵庫の棚に貯蔵した参考例２の場合には、減量歩合は高いけれども、正果率は７０％以上と良好であった。また、通気度が１０秒／１００ｃｃのシート材からなる保存用カバーを用いて貯蔵した比較例１の場合には、減量歩合はある程度抑えられているものの、腐敗率が高く、高い正果率が得られなかった。
【産業上の利用可能性】
【００２１】
本考案に係る保存用カバーは、温州みかんなどの柑橘類をコンテナに収納したまま状態良く長期間保存するのに好適に用いることができる。
【図面の簡単な説明】
【００２２】
【図１】本考案の一実施形態に係る柑橘類の保存用カバー１を、多段に積み上げられたコンテナに被覆した状態を示す斜視図である。
【符号の説明】
【００２３】
１  保存用カバー
３  天井面
４−１、４−２、４−３、４−４  側面
５  側縁
Ｆ  ファスナー
Ｐ  パレット
【図１】
0003129141.tif 000004